(57)【特許請求の範囲】
【請求項１】
天井野縁と、その上方にある上層階の床梁とが直交方向に段違いで配置されている場合において、前記床梁の側面に長手方向に沿って気密シートを貼り付け、前記天井野縁を前記気密シートと交差する位置で切断し、嵌合凹部を有する気密ランナーの該嵌合凹部を前記切断部分の両側に位置する前記天井野縁の切断端部にそれぞれ嵌合し、該２個の気密ランナーのうちの少なくとも一方の前記気密ランナーの垂直面に前記気密シートの下端部を貼り付け、前記２個の気密ランナーを相互に結合し、前記２個の気密ランナーの下面に弾性を有する目地テープを貼り付けたことを特徴とする天井野縁と床梁の間の気密構造。
【請求項２】
前記目地テープは、前記２個の気密ランナーの垂直面同士の結合部分の目地を塞ぐように設けたことを特徴とする請求項１記載の天井野縁と床梁の間の気密構造。
【請求項３】
前記床梁と前記気密シートとの間にスペーサを介在させたことを特徴とする請求項１又は２記載の天井野縁と床梁の間の気密構造。
【発明の詳細な説明】
【０００１】
【発明の属する技術分野】
本発明は、天井野縁と床梁の間の気密構造に関し、特に、下屋部の天井野縁と、その上層階の外周の床梁との間の気密性を確保するための気密構造に関する。
【０００２】
【従来の技術】
一般に、建物の下屋部は、上層階の外壁と下層階の天井とが直交する部分を有しているが、この部分は天井野縁や野縁受などの天井下地、あるいは上層階の床梁などが配置されており、立体的に入り組んだ複雑な構造をとっている。したがって、このような複雑な構造をとる部分に気密施工を行う場合には、気密性を確保したい面に沿って発泡ポリエチレン製のシート等からなる気密シートを配置し、その目地をアルミテープ等からなる気密テープにより塞ぐという方法のみでは気密性を確保することが困難であった。そこで、従来は、気密性を確保したい部分にウレタンフォームスプレーを吹き付け、ウレタンを発泡させて隙間に充填することにより気密性を確保する湿式気密構造を採用していた。
【０００３】
しかし、このような湿式気密構造では、以下のような問題があった。すなわち、ウレタンフォームスプレーを吹き付ける方法では、ウレタンの吹付け時に有害の恐れがある塩素系ガスが発生するので、作業者の安全を確保するために同時進行で内装工事等を行うことができないという問題があった。また、ウレタンフォームスプレーの吹付け作業は専門の作業者により作業することが必要であり、一般の作業者では作業を行うことができないことや、あまり細い隙間には充填できないことなどの問題があった。
【０００４】
【発明が解決しようとする課題】
本発明は、上記課題に鑑みてなされたものであって、複雑な構造をとる建物の下屋部における気密性を確保するとともに、有害の恐れがあるガスの発生をなくして施工期間を短縮し、かつ、一般の作業者にも施工が可能なように施工の簡略化を図ることが可能な天井野縁と床梁の間の気密構造を提供することを技術課題とするものである。
【０００５】
【課題を解決するための手段】
上記技術課題を解決するための具体的手段は、次のようなものである。すなわち、請求項１に記載する天井野縁と床梁の間の気密構造は、天井野縁と、その上方にある上層階の床梁とが直交方向に段違いで配置されている場合において、前記床梁の側面に長手方向に沿って気密シートを貼り付け、前記天井野縁を前記気密シートと交差する位置で切断し、嵌合凹部を有する気密ランナーの該嵌合凹部を前記切断部分の両側に位置する前記天井野縁の切断端部にそれぞれ嵌合し、該２個の気密ランナーのうちの少なくとも一方の前記気密ランナーの垂直面に前記気密シートの下端部を貼り付け、前記２個の気密ランナーを相互に結合し、前記２個の気密ランナーの下面に弾性を有する目地テープを貼り付けたことを特徴とするものである。
【０００６】
請求項２に記載する天井野縁と床梁の間の気密構造は、請求項１に記載する構成において、前記目地テープは、前記２個の気密ランナーの垂直面同士の結合部分の目地を塞ぐように設けたことを特徴とするものである。
【０００７】
請求項３に記載する天井野縁と床梁の間の気密構造は、請求項１又は２に記載する構成において、前記床梁と前記気密シートとの間にスペーサを介在させたことを特徴とするものである。
【０００８】
【発明の実施の形態】
以下、本発明に係る天井野縁と床梁の間の気密構造について図面に基づいて説明する。本発明の第１の実施形態に係る天井野縁と床梁の間の気密構造は、図１に示すように、天井野縁１と、その上方にある上層階の床梁２とが平行に配置されている場合において、前記床梁２の側面に長手方向に沿って気密シート３を貼り付け、該気密シート３の下端部１９を前記天井野縁１の側面に貼り付け、前記天井野縁１の下面に弾性を有する目地テープ４を貼り付けたものである。またこの際、前記天井野縁１の上方に、該天井野縁１に対して直交方向に設けられた野縁受５は、前記気密シート３を貫通して配置されている。以下、更に詳細に説明する。
【０００９】
本実施形態に係る天井野縁と床梁の間の気密構造は、図２に示すように、下層階の下屋部６の天井７に沿って設けられる気密構造と、その上層階の外壁８に沿って設けられる気密構造とが交差する部分の気密構造に関するものである。この部分においては、下層階の天井野縁１及び野縁受５といった天井下地が主屋側から連続して設けられており、前記天井野縁１の下面には天井ボード９が取り付けられている。また、前記野縁受５は、その上方に位置する上層階の床梁２に吊具１０を介して固定されており、前記床梁２の上面には、上層階の床パネル１１及び外壁８が設けられている。
【００１０】
そして、下層階の下屋部６の天井７に沿って設けられる気密構造として、下屋部６の前記天井野縁１の下面に沿って気密シート（以下、「天井部気密シート１２」という。）が設けられており、前記上層階の外壁８に沿って設けられる気密構造として、前記外壁８の内部及び前記床パネル１１の端部外周１３に沿って気密シート（以下、「外壁部気密シート１４」という。）が設けられている。本実施形態に係る天井野縁と床梁の間の気密構造は、前記天井部気密シート１２と前記外壁部気密シート１４との繋ぎ目において気密性を確保することにより建物の下屋部６における気密性を確保するものである。なお、ここで、下層階及び上層階とあるのは、２階建て以上の建物の上下に隣接する２つの階のことであり、例えば２階建て住宅の１階に下屋が設けられている場合においては、下層階とは１階、上層階とは２階のことである。
【００１１】
本実施形態に係る天井野縁と床梁の間の気密構造は、図２に示すように、下屋部６の天井野縁１と、その上方にある上層階の外周の床梁２とが段違いで平行に配置されている場合において、図１に示すように、前記床梁２の屋内側の側面に、前記床梁２の長手方向に沿って気密シート３を貼り付け、該気密シート３の下端部１９を前記天井野縁１の側面に、前記天井野縁１の長手方向に沿って貼り付けるとともに、前記天井野縁１の下面に弾性を有する目地テープ４を貼り付けたものである。この際、前記天井野縁１の上方に、該天井野縁１に対して直交方向に設けられた野縁受５は、前記気密シート３を貫通して配置されている。
【００１２】
前記天井野縁１は、前記下屋部６を含む下層階の天井７の全面にわたって、一定間隔で多数配置されている。そして、前記野縁受５が前記天井野縁１の上方に該天井野縁１に対して直交方向に設けられており、前記天井野縁１はすべて前記野縁受５に固定され、支持されている。前記天井野縁１の前記野縁受５への固定は、専用の固定金具１５、あるいはボルトとナット（図示せず）などを用いて行う。また、前記野縁受５の上方には前記天井野縁１と平行に前記床梁２が設けられており、前記野縁受５が、前記床梁２の下側のフランジ部１８に固定された吊具１０を介して前記床梁２に固定されている。
【００１３】
前記床梁２は、横断面がＨ形の鉄骨で構成され、上下のフランジ部１８の間の屋内側に断熱材１６が充填されている。該断熱材１６としては、例えば、合成樹脂製の袋にグラスウールを充填したもの（ポリパック等）や合成樹脂発泡体等が挙げられる。なお、前記床梁の材質、形状等は特に限定されるものではなく、鉄骨製の他、例えば木製の角材等であっても良い。また、前記断熱材１６は必要に応じて設けられる場合と設けられない場合とがある。
【００１４】
前記天井野縁１は補強用の凹凸が設けられた角形鋼管で構成され、前記野縁受５は横断面がコ字形の溝形鋼で構成されている。しかし、前記天井野縁１及び前記野縁受５の材質、形状等は特に限定されるものではなく、例えばＨ形鋼や木製の角材等、他の材質、形状等であっても良い。
【００１５】
そして、上記のように構成された前記床梁２の屋内側の側面、すなわち、前記床梁２のフランジ部１８の屋内側端部及び前記断熱材１６が設けられる場合には前記断熱材１６の屋内側面に、前記床梁２の長手方向に沿って前記気密シート３が貼り付けられる。前記気密シート３の貼付けに際しては、接着面に建築現場で接着剤を塗布又は吹付けしてもよいが、施工性の点からは、前記気密シート３の接着面にあらかじめ離型紙付きの両面テープ等を貼り付けておき、該離型紙を剥がすのみで貼り付けることができるようにしておくことが望ましい。前記気密シート３としては、ここでは発泡ポリエチレン製のシートを使用しているが、これに限定されず、気密性を有するシートで経年劣化の少ないものであれば良く、他の合成樹脂製のシートなど、であっても良い。
【００１６】
また、前記床梁２の屋内側の側面への前記気密シート３の貼付けに際し、前記床梁２の屋内側の側面が前記天井野縁１の側面と同一の垂直平面上にない場合等には、前記床梁２と前記気密シート３との間にスペーサ１７を介在させる場合がある。前記スペーサ１７は、前記気密シート３を貼り付ける前の状態を示す図３に示すように、横断面がＬ字形に形成されたものや、図示しないが横断面がコ字形に形成されたものであって、前記床梁２との接着面にあらかじめ離型紙付きの両面テープ等が貼り付けられたもの等を使用し、前記床梁２の下側のフランジ部１８に所定の間隔で貼り付ける。このように、前記スペーサ１７を介在させることにより、前記天井野縁１の側面が前記床梁２の屋内側の側面よりも屋内側に配置される場合であっても、図１に示すように、前記気密シート３を平面的に貼り付けることができる。この場合、前記床梁２の屋内側に配設される断熱材１６は、必要に応じてスペーサ１７の屋内側面まで突出させておいてもよい。
【００１７】
前記気密シート３の下端部１９は、前記天井野縁１の側面に、前記天井野縁１の長手方向に沿って貼り付けられる。前記気密シート３の貼付けについては、前記床梁２の側面への貼付けと同様、前記気密シート３の接着面に建築現場で接着剤を塗布又は吹付けしても良く、該接着面にあらかじめ離型紙付きの両面テープ等を貼り付けておいても良い。
【００１８】
また、前記天井野縁１の下面には、弾性を有する目地テープ４が貼り付けられる。該目地テープ４は、前記天井野縁１の下面に前記天井ボード９が取り付けられた際に、前記天井野縁１と前記天井ボード９との間において押しつぶされることにより、前記天井野縁１と前記天井ボード９との間の気密性を確保する。なお、前記目地テープ４としては、ここでは発泡ポリエチレン製のテープを使用しているが、これに限定されるものではなく、弾性を有しており経年劣化の少ないものであれば他の材料のものであっても良い。
【００１９】
本実施形態に係る天井野縁と床梁の間の気密構造は、前述の通り、前記天井部気密シート１２と前記外壁部気密シート１４との繋ぎ目において気密性を確保するものである。そのため、前記床梁２及び天井野縁１に貼り付けられた前記気密シート３は、その上端部２０において前記外壁部気密シート１４の下端部３１と密着して気密性を確保し（図２参照）、その下端部１９において前記天井野縁１の側面に密着して気密性を確保する。そして、前記天井野縁１の下面に貼り付けられた前記目地テープ４による気密性の確保と合わせて、前記天井部気密シート１２と前記外壁部気密シート１４との繋ぎ目における気密性が確保できる。なお、前記床梁２及び天井野縁１に貼り付けられた前記気密シート３は、前記外壁部気密シート１４の下端部と密着させるため、その上端部２０が前記床梁２の上面から一定幅だけはみ出すように貼り付けておき、図２に示すように、前記床梁２の上面に載置される上層階の床パネル１１の下面において前記外壁部気密シート１４の下端部と重ね合わせて貼り付けることにより密着させる。この貼付けについては、前述のものと同様、前記気密シート３の接着面に建築現場で接着剤を塗布又は吹付けしても良く、あるいは、該接着面にあらかじめ離型紙付きの両面テープ等を貼り付けておいても良い。
【００２０】
図１に示すように、前記野縁受５は前記天井野縁１の上方において、該天井野縁１に対して直交方向に設けられており、前記気密シート３と交差することとなる。そのため、前記野縁受５と前記気密シート３との交差する部分において気密性を確保することが必要となる。そこで、本実施形態においては、図４（ａ）に示すように、前記野縁受５と前記気密シート３とが交差する位置において、前記気密シート３に前記野縁受５の外周形状と略同一形状の切欠き穴２１を設ける。また、必要に応じて該切欠き穴２１への前記野縁受５の挿通を容易にするために、前記切欠き穴２１の下方等に前記気密シート３の端部から前記切欠き穴２１にかけて切込み２２を設けても良い。そして、図４（ｂ）に示すように、該切欠き穴２１に前記野縁受５を挿通し、前記気密シート３と交差する断面における前記野縁受５の凹部に野縁受パッキン２３を嵌挿し、前記野縁受５の外周と前記気密シート３との接合部の目地及び前記切込み２２に気密テープ２４を貼り付ける。
【００２１】
前記切欠き穴２１を設けるに際して、前記野縁受５の断面形状が凹凸を有する複雑な形状である場合には、その断面形状と同一形状の切欠き穴２１を建築現場において設けるのは困難であり、作業工数の増加を招く要因になる。そこで、前記切欠き穴２１の形状は、前記野縁受５の外周形状と略同一のできる限り簡易な形状とし、その代わりに、工場等においてあらかじめ前記野縁受５の凹部の形状に合わせて形成した野縁受パッキン２３を前記気密シート３と交差する断面における前記野縁受５の凹部に嵌挿することにより、前記野縁受５と前記気密シート３との隙間を塞ぐようにする。ここでは、前記野縁受５は、横断面がコ字形の溝形鋼であるので、図４に示すように、その外周形状と略同一の大きさの四角形の切欠き穴２１を前記気密シート３に設け、前記野縁受５の内側の凹部の形状に合致する外形である立方体形状の前記野縁受パッキン２３を前記野縁受５の凹部の前記気密シート３と交差する位置に嵌挿している。前記野縁受５が角形鋼管やＨ形鋼など、他の断面形状を有する場合にも、同様に、その外周形状に合致する大きさ及び形状の切欠き穴２１を設け、前記野縁受５の凹部の形状に合わせて形成した野縁受パッキン２３を嵌挿する。
【００２２】
そして、前記野縁受５の外周と前記気密シート３との接合部の目地に気密テープ２４を貼り付けることにより、前記野縁受５と前記気密シート３との隙間を塞いで気密性を確保する。前記気密テープ２４として、ここではアルミテープを使用しているが、これに限定されるものではなく、気密性を有し、経年劣化の少ないものであれば他の材質であっても良い。なお、通常は前記切欠き穴２１への前記野縁受５の挿通を容易にするために、前記切欠き穴２１の下方等に前記気密シート３の端部から前記切欠き穴２１にかけて切込み２２を設けるので、該切込み２２を塞ぐためにも前記気密テープ２４を貼り付ける。また、前記野縁受パッキン２３と前記野縁受５との間の気密性をより一層高めるため、前記野縁受パッキン２３と前記野縁受５との隙間に発泡ウレタンを充填する場合もある。該発泡ウレタンの充填は、ウレタンフォームスプレーを吹き付けること等により行う。
【００２３】
次に、本発明の第２の実施形態に係る天井野縁と床梁の間の気密構造について説明する。本発明の第２の実施形態に係る天井野縁と床梁の間の気密構造は、図５及び図５のＡ部拡大図である図６に示すように、天井野縁１と、その上方にある上層階の床梁２とが直交方向に段違いで配置されている場合において、前記床梁２の側面に長手方向に沿って気密シート３を貼り付け、前記天井野縁１を前記気密シート３と交差する位置で切断し、嵌合凹部２５を有する気密ランナー２６の該嵌合凹部２５を前記切断部分の両側に位置する前記天井野縁１の切断端部２７にそれぞれ嵌合し、該２個の気密ランナー２６のうちの少なくとも一方の前記気密ランナー２６の垂直面２８に前記気密シート３の下端部１９を貼り付け、前記２個の気密ランナー２６を相互に固定し、前記２個の気密ランナー２６の下面に弾性を有する目地テープ４を貼り付けたものである。
【００２４】
本実施形態に係る天井野縁と床梁の間の気密構造は、前記第１の実施形態に対して、前記床梁２に対しての前記天井野縁１及び前記野縁受５の方向が９０°回転したものと同様であり、前記床梁２と直交方向に設けられた前記天井野縁１が前記気密シート３と交差するように配置されている。そのため、前記野縁受５と前記気密シート３との交差する部分が存在しないことに加えて、前記第１の実施形態とは、前記気密シート３の下端部における気密構造が異なっている。
【００２５】
すなわち、本実施形態においては、前記天井野縁１を前記気密シート３と交差する位置で切断するとともに、嵌合凹部２５を有する気密ランナー２６の該嵌合凹部２５を前記切断部分の両側に位置する前記天井野縁１の切断端部２７にそれぞれ嵌合する。前記気密ランナー２６は、少なくとも前記天井野縁１の切断部端面２９及び下面３０に当接される面を有して構成される嵌合凹部２５を有する長尺部材で構成される。本実施形態においては、前記気密ランナー２６として、前記天井野縁１の切断部端面２９の高さよりも広い溝幅を有する横断面がコ字形の溝形鋼を用いている。しかし、前述の通り、前記嵌合凹部２５は前記天井野縁１の切断部端面２９及び下面３０に当接される面を有していれば良いので、前記溝形鋼の上側の水平面を取り去った形状と同様の横断面がＬ字形の山形鋼等を用いることもできる。
【００２６】
前記天井野縁１の切断端部２７にそれぞれ嵌合することによって、前記気密ランナー２６は相互に隣接して平行に配置される。そこで、これらの２個の前記気密ランナー２６のうちの一方の前記気密ランナー２６の垂直面２８に前記気密シート３の下端部１９を貼り付ける。ここで、前記気密ランナー２６の垂直面２８は、前記嵌合凹部２５の内の前記天井野縁１の切断部端面２９に当接される面の裏側の面が該当する。前記気密シート３の前記気密ランナー２６の垂直面２８への貼付けに際しては、前記第１の実施形態の場合と同様、接着面に建築現場で接着剤を塗布又は吹付けしてもよいが、施工性の点からは、前記気密シート３の接着面にあらかじめ離型紙付きの両面テープ等を貼り付けておき、該離型紙を剥がすのみで貼り付けることができるようにしておくことが望ましい。
【００２７】
そして、前記気密シート３を前記２個の気密ランナー２６の垂直面２８同士で挟むようにして前記気密ランナー２６を相互に結合する。この際、前記気密シート３を貼り付けていない他方の前記気密ランナー２６に対しても、前記一方の気密ランナー２６と同様に前記気密シート３の下端部１９を貼り付ける場合がある。前記気密ランナー２６相互の結合は、ビス等を用いて前記垂直面同士を固定することにより行う。
【００２８】
また、相互に結合された前記２個の気密ランナー２６の下面には、弾性を有する目地テープ４を貼り付ける。この際、前記目地テープ４は、前記気密ランナー２６の垂直面２８同士の結合部分の目地を塞ぐようにして設けることが望ましい。前記目地テープ４は、図７に示すように、前記第１の実施形態と同様、前記天井野縁１の下面に前記天井ボード９が取り付けられた際に、前記気密ランナー２６と前記天井ボード９との間において押しつぶされることにより、前記気密ランナー２６と前記天井ボード９との間の気密性を確保する。なお、前記目地テープ４としては、ここでは発泡ポリエチレン製のテープを使用しているが、これに限定されるものではなく、弾性を有しており経年劣化の少ないものであれば他の材料のものであっても良い。
【００２９】
【発明の効果】
以上説明したように、本発明に係る天井野縁と床梁の間の気密構造によれば、前記床梁の側面に長手方向に沿って気密シートを貼り付け、前記天井野縁を前記気密シートと交差する位置で切断し、嵌合凹部を有する気密ランナーの該嵌合凹部を前記切断部分の両側に位置する前記天井野縁の切断端部にそれぞれ嵌合し、該２個の気密ランナーのうちの少なくとも一方の前記気密ランナーの垂直面に前記気密シートの下端部を貼り付け、前記２個の気密ランナーを相互に結合し、前記２個の気密ランナーの下面に弾性を有する目地テープを貼り付けたことにより、複雑な構造をとる建物の下屋部においても確実に気密性を確保することができるとともに、ウレタンフォームスプレーの吹付け作業を排除することができるので、有害の恐れがあるガスの発生をなくして施工期間を短縮し、かつ、一般の作業者にも施工が可能なように施工の簡略化を図ることが可能となる。
【図面の簡単な説明】
【図１】本発明の第１の実施形態に係る天井野縁と床梁の間の気密構造を示す斜視図である。
【図２】本発明の第１の実施形態に係る天井野縁と床梁の間の気密構造とその周辺部を示す断面図である。
【図３】本発明の第１の実施形態に係る天井野縁と床梁の間の気密構造において、気密シートを貼り付ける前の状態を示す斜視図である。
【図４】本発明の第１の実施形態に係る天井野縁と床梁の間の気密構造において、野縁受と気密シートとの交差する部分の気密構造を示す斜視図である。
【図５】本発明の第２の実施形態に係る天井野縁と床梁の間の気密構造を示す斜視図である。
【図６】図５のＡ部拡大図である。
【図７】本発明の第２の実施形態に係る天井野縁と床梁の間の気密構造とその周辺部を示す断面図である。
【符号の説明】
１  天井野縁
２  床梁
３  気密シート
４  目地テープ
５  野縁受
６  下屋部
７  天井
８  外壁
９  天井ボード
１０  吊具
１１  床パネル
１２  天井部気密シート
１３  床パネルの端部外周
１４  外壁部気密シート
１５  固定金具
１６  断熱材
１７  スペーサ
１８  床梁のフランジ部
１９  気密シートの下端部
２０  気密シートの上端部
２１  切欠き穴
２２  切込み
２３  野縁受パッキン
２４  気密テープ
２５  気密ランナーの嵌合凹部
２６  気密ランナー
２７  天井野縁の切断端部
２８  気密ランナーの垂直面
２９  天井野縁の切断部端面
３０  天井野縁の切断部下面
【図１】
0003845344.tif 000002
【図２】
0003845344.tif 000003
【図３】
0003845344.tif 000004
【図４】
0003845344.tif 000005
【図５】
0003845344.tif 000006
【図６】
0003845344.tif 000007
【図７】
0003845344.tif 000008